(57)【要約】【課題】例えば、薬のように使用順序の定まった物を使用順序に応じて一回分毎に小分けしておくことができ、しかも、その取出しが使用順序の順番に制限され、重複使用や小分けした物の取出し順序を間違えないようにした小分け袋を得ることを課題とする。【解決手段】袋の内部が袋素材１１，１２を対向面同士で接合することによって上記袋の縁１ａに沿って並ぶ複数の小分けポケット２、２’、２”に仕切られ、一連のスライドファスナー３を上記複数の小分けポケット２、２’、２”の並びに沿って上記袋の縁１ａに設け、上記複数の小分けポケット２、２’、２”が上記スライドファスナー３の閉じ位置側から順に開いていく小分け袋１としたのである。【選択図】  図１
2004351111.tif 000002
【特許請求の範囲】
【請求項１】
袋の内部が袋素材を対向面同士で接合することによって上記袋の縁に沿って並ぶ複数の小分けポケットに仕切られ、一連のスライドファスナーを上記複数の小分けポケットの並びに沿って上記袋の縁に設け、上記複数の小分けポケットが上記スライドファスナーの閉じ位置側から順に開いていく小分け袋。
【請求項２】
上記スライドファスナーのスライダーを移動させる際に、隣り合う小分けポケットの境界部分で、スライダーの移動に抵抗感を変えるスライド抵抗部を設けたことを特徴とする請求項１記載の小分け袋。
【請求項３】
上記袋素材が、透明な合成樹脂であることを特徴とする請求項１又は２記載の小分け袋。
【請求項４】
上記複数の小分けポケットに、小分け物の使用順序を表示したことを特徴とする請求項１〜３のいずれかに記載の小分け袋。
【請求項５】
服用時期を順番に表示したことを特徴とする、薬の小分けに用いる請求項４に記載の小分け袋。
【発明の詳細な説明】
【０００１】
【発明の属する技術分野】
この発明は、例えば、病院や薬局などで２週間、あるいは一ヶ月分の薬を纏めてもらった場合に、朝・昼・夜というように、服用順序に従って一回分毎に小分けしておくことができるなど、予め決められた小分け物の使用順番に従って開封可能にならしめる小分け袋に関する。
【０００２】
【従来の技術】
特に、高齢者の場合、いろいろな病気を合併していることが多いので、朝・昼・夜にそれぞれ異なる幾種類の薬を服用しなければならないことが多い。
病院や薬局では、通常、この異なる種類の薬を、２週間、あるいは一ヶ月分を纏めて患者に渡している。
したがって、患者は、２週間、あるいは一ヶ月分の纏めて渡された薬の中から、例えば、朝に服用する薬、昼に服用する薬、夜に服用する薬を、種類と用量を間違えないように、その都度取り出して服用しなければならない。
【０００３】
【発明が解決しようとする課題】
しかしながら、高齢者の場合、服用する薬の種類や量が多く、服用時に、種類や用量を間違い易い。このため、２週間、あるいは一ヶ月分の薬を病院や薬局で纏めて渡された場合、自宅に持ち帰って、朝に服用する薬、昼に服用する薬、夜に服用する薬というように、一回分毎に、小袋に小分けし、服用する薬の種類と用量を間違えないようにしている人も多い。
ところが、高齢者の場合には、服用する薬の種類や量が多いので、家族が手伝って一回分毎に、小袋に小分けしていたとしても、朝に服用する薬を、昼に服用し、昼に服用する薬を朝に服用したりする飲み間違いや飲み忘れが生じやすいという問題があった。
さらに、高齢者は、既に朝に服用する薬を服用したにも関わらず、そのことを忘れてしまい、再び別の小袋を開封して薬を服用してしまうという二度飲みを起こすことがあり、しかも、高齢者本人は勿論、家族も二度飲みがあったことに気付き難く、服薬事故に繋がり易いという問題もあった。
【０００４】
そこで、この発明の課題は、例えば、薬のように使用順序の定まった小物類を使用順序に応じて一回分毎に小分けしておくことができ、しかも、その取出しが使用順序の順番に制限され、小分けした薬等の重複使用や取出し順序を間違えないようにし、また、既に使用したことを確認することができる小分け袋を得ることにある。
【０００５】
【課題を解決するための手段】
上記の課題を解決するため、この発明は、袋の内部が袋素材を対向面同士で接合することによって上記袋の縁に沿って並ぶ複数の小分けポケットに仕切られ、一連のスライドファスナーを上記複数の小分けポケットの並びに沿って上記袋の縁に設け、上記複数の小分けポケットが上記スライドファスナーの閉じ位置側から順に開いていく小分け袋としたのである。
【０００６】
この構成による小分け袋は、袋の内部が袋素材を対向面同士で接合することによって上記袋の縁に沿って並ぶ複数の小分けポケットに仕切られ、一連のスライドファスナーを上記複数の小分けポケットの並びに沿って上記袋の縁に設け、上記複数の小分けポケットが上記スライドファスナーの閉じ位置側から順に開いていくので、スライダーの移動に応じて閉じ位置側の小分けポケットから順に開くことができ、まだ取り出すべきでない小分けした薬等が収納された小分けポケットはスライドファスナーによって閉じられている。
したがって、使用者が予め一日分の薬等をその使用順序に従って、スライダーの閉じ位置側から開き位置側の小分けポケットに、小分けした薬等を収納しておくと、小分けした薬等の取出しが使用順序の順番に制限されるので、小分けした薬等の取出し順序の間違いを防止できる。また、小分けした薬等を取り出す際に、まだ取り出すべきでない小分した薬等が、小分けポケットからこぼれたり、混入したりする心配もない。しかも、小分けした薬等をうっかり重複使用しそうになっても、小分け袋のスライダーを再び移動させようとする際に、その使用時期の小分けした薬等が既に取り出されていることが容易に判るので、その重複使用を防ぐことができる。
【０００７】
【発明の実施の形態】
この発明の第一の実施の形態である小分け袋を図面に基づき説明する。図１〜３に示すように、この小分け袋１は、内部が袋素材１１，１２を対向面同士で接合することによって上記袋の縁１ａに沿って並ぶ複数の小分けポケット２、２’、２”に仕切られ、一連のスライドファスナー３を小分けポケット２、２’、２”の並びに沿って上記袋の縁１ａに設けている。さらに、スライドファスナー３には、スライド抗部４ａ、４ｂを設けている。この小分け袋１は、薬の小分けに用いるものであり、小分けポケット２、２’、２”には薬の服用時期を表示している。
【０００８】
袋素材１１、１２には、半透明な矩形の合成樹脂製シートを用いている。この小分け袋１においては、袋素材１１と袋素材１２とをスライドファスナー３を設ける上縁１１ａ、１２ａを除く側縁１１ｂと１２ｂ、１１ｂ’と１２ｂ’、底縁１１ｃと１２ｃにおいて溶着し、貼り合わせることによって袋状にしている。袋素材１１、１２には、この実施の形態の如く、透明または半透明の合成樹脂製シートを用いることが好ましい。このように透明な合成樹脂を用いると、小分け袋１の内部を外側から透視できるので、使用者本人は勿論、家族も小分けポケット２、２’、２”の中をより簡単に確認できるようになる。なお、袋素材１１、１２にはシースルー布地を用いることもできる。無論、袋素材１１または１２のいずれか一方のみを透明または半透明の袋素材としてもよい。
【０００９】
小分けポケット２、２’、２”は、袋素材１１、１２の対向面同士を側縁１１ｂ、１２ｂからスライドファスナー３の開き位置側に向かって所定の間隔で短手方向に溶着して接合することによって小分けポケットの境界部２ａ、２ｂを形成し、小分け袋１の縁１ａに沿って並ぶように設けている。これにより、小分け袋１の内部が、三つの小分けポケット２、２’、２”に仕切られている。この第１の実施形態の場合には、小分けポケットの数を３個にしているが、この数は用途に応じて適宜変更することができる。
【００１０】
スライドファスナー３には、スライダー３ａを備える、密封型のスライドファスナーを用いている。このスライドファスナー３は、図１、図３に示すように、スライドファスナー３の閉じ位置を側縁１１ｂ、１２ｂの上に、開き位置を側縁１１ｂ’、１２ｂ’の上にして、袋素材１１、１２の上縁１１ａ、１２ａに溶着することによって設けている。このようにスライドファスナー３を設けることにより、スライドファスナー３が小分けポケット２、２’、２”の並びに沿って設けることができ、小分けポケットがスライドファスナーの閉じ位置側から順に、すなわち、小分けポケット２から、小分けポケット２’、小分けポケット２”の順に開いていく小分け袋１になる。なお、スライドファスナー３には、例えば、金属ファスナーなど、袋素材に取付けできるファスナー部と、スライダーとから構成されるものを用いることができる。
【００１１】
スライド抵抗部４ａ、４ｂは、スライドファスナー３の小分けポケットの境界部２ａ、２ｂの上に設けられた、例えば、低く短い線状凸部である。このスライド抵抗部４ａ、４ｂは、例えば、低い丸凸や低い波線状に凹凸を形成してもよく、スライダー３ａがスライド抵抗部４ａ、４ｂを通過でき、この際、使用者にスライダー３ａの移動に抵抗感の変化を与えるものであればよい。このようにスライド抵抗部４ａ、４ｂを設けると、使用者にはポケット２と２’の境界２ａまたは２’と２”の境界２ｂまでスライダー３ａを移動したことがより判り易くなるので、誤って隣ポケットを開く恐れがさらに少なくなる。
【００１２】
また、各小分けポケット２、２’、２”部分には、薬の服用時期（あさ、ひる、よる）が順番に表示され、さらに、矢印によってスライドファスナー３のスライ方向が表示されている。このように薬等の小分け物の使用順序等を表示すると、小分け袋１の使用方法および薬等の小分け物の用法が一目で解るので、さらにその誤用を防ぐことができる。この表示には、袋素材１１，１２を加熱変色させて文字等を描く方法や、プリント表示する方法、または、シール貼り等を用いることができる。さらに、小分け袋１毎に、（月）、（火）、（水）などの曜日や日付を入れて管理の徹底を図るようにしてもよい。
【００１３】
この小分け袋１の使用方法を説明する。使用者は、処方された２週間、あるいは一ヶ月分の薬から一日分の薬を取り分け、朝に服用する薬を小分けポケット２に、昼に服用する薬を小分けポケット２’に、夜に服用する薬を小分けポケット２”に分け入れておく。朝の服用時期が来ると、使用者はスライダー３ａを小分けポケット境界部２ａ、すなわち、ストップ表示６が示されている、抵抗感が感じられる所（スライド抵抗部４ａ）まで移動させ、小分けポケット２中の朝に服用する薬を全て取り出す。スライダー３ａは、そのままポケット境界部２ａ（スライド抵抗部４ａ）の位置に置いておく。昼の服用時期が来ると、使用者は、スライダー３ａを、さらに開方向に移動させ、次の小分けポケット境界部２ｂ、すなわち、次にストップ表示６が示されている、抵抗感が感じられる所（スライド抵抗部４ｂ）まで移動させ、小分けポケット２’中の昼に服用する薬を全て取り出す。スライダー３ａは、そのまま小分けポケット境界部２ｂ（スライド抵抗部４ｂ）の位置に置いておく。最後に、夜の服用時期が来ると、スライダー３ａを開き位置まで移動させ、小分けポケット２”中の夜に服用する薬を全て取り出せばよい。
【００１４】
勿論、この小分け袋１は、薬の小分け以外にも利用できる。例えば、組立て家具などの組立てに使用するネジやボルト等を、組立て工程に応じた数の小分けポケットを有する小分け袋１に、組立て順に、使用するネジやボルトを小分けして収納しておくと、組立て順に使用するネジやボルトを間違いなく順番に取り出せるので、便利である。
【００１５】
また、第二の実施の形態として、この発明においては、図４のように、小分け袋１の周縁に通し孔部５を設けることができる。このように通し孔部５を設けると、例えば、通し孔部５に紐を通し、７つの小分け袋４１を繋ぎとめることによって１週間分の小分け薬を纏めることができ、便利である。また、小分け袋４１を販売等する際には、通し孔部５にフックを通し、小分け袋４１を簡単に陳列できる。
【００１６】
【発明の効果】
この発明の小分け袋においては、使用者が予め一日分の薬等をその使用順序に従って、スライダーの閉じ位置側から開き位置側の小分けポケットに、小分けした薬等を収納しておくと、小分けした薬等の取出しが使用順序の順番に制限されるので、小分けした薬等の取出し順序の間違いを防止できる。また、小分けした薬等を取り出す際に、まだ取り出すべきでない小分けポケット中の小分した薬等がこぼれたり、混入したりする心配もない。しかも、小分けした薬等をうっかり重複使用しそうになっても、小分け袋を再び開封しようとする際に、その使用時期の小分けした薬等が既に取り出されていることが容易に判るので、その重複使用を防ぐことができる。
【図面の簡単な説明】
【図１】この発明の第一の実施の形態の小分け袋を示す全体斜視図である。
【図２】図１の小分け袋のＡ−Ａ断面図である。
【図３】図１の小分け袋のＢ‐Ｂ断面図である。
【図４】この発明の第二の実施の形態の小分け袋を示す全体斜視図である。
【符号の説明】
１、４１  小分け袋
１ａ  縁
２、２’、２”  小分けポケット
２ａ、２ｂ  小分けポケット境界部
３  スライドファスナー
３ａ  スライダー
４ａ，４ｂ  スライド抵抗部
５  通し孔部
６  ストップ表示
１１、１２  袋素材
【図１】
2004351111.tif 000003
【図２】
2004351111.tif 000004
【図３】
2004351111.tif 000005
【図４】
2004351111.tif 000006